(57)【特許請求の範囲】
【請求項１】
上部にトッププレートが設けられた本体ケースと、
前記トッププレートに設けられ、被加熱物の載置位置を示す加熱口と、
前記本体ケース内に前記加熱口に対向して配置された加熱コイルと、
前記トッププレートの後側の角部に配置された第１の注意表記部と、
前記本体ケースの上部であって、前記トッププレートの後方に排気口を有して設置され、前記本体ケースの幅方向に延びて形成された後部パネルと、
前記後部パネルの排気口を除く領域に設けられ、使用上の注意事項の中で重要性の高い注意事項が表示された第２の注意表記部とを備え、
前記後部パネルの排気口を除く領域は、前記後部パネルの長手方向から見て略三角形状に形成され、前記トッププレート側の傾斜面に前記第２の注意表記部を設け、
前記略三角形状に形成された前記後部パネルの後部水平面に前記本体ケース内に繋がる穴を設けたことを特徴とする加熱調理器。
【請求項２】
前記傾斜面の後側の傾斜面に前記本体ケース内に繋がる複数の穴を設けたことを特徴とする請求項１記載の加熱調理器。
【請求項３】
上部にトッププレートが設けられた本体ケースと、
前記トッププレートに設けられ、被加熱物の載置位置を示す加熱口と、
前記本体ケース内に前記加熱口に対向して配置された加熱コイルと、
前記トッププレートの後側の角部に配置された第１の注意表記部と、
前記本体ケースの上部であって、前記トッププレートの後方に排気口を有して設置され、前記本体ケースの幅方向に延びて形成された後部パネルと、
前記後部パネルの排気口を除く領域に設けられ、使用上の注意事項の中で重要性の高い注意事項が表示された第２の注意表記部とを備え、
前記後部パネルの排気口を除く領域は、前記後部パネルの長手方向から見て前記トッププレートから後側に上方へ傾斜して水平に折り曲げられて形成され、前記トッププレート側の傾斜面に前記第２の注意表記部を設け、前記後部パネルの背面に前記本体ケースに繋がる穴を設けたことを特徴とする加熱調理器。
【発明の詳細な説明】
【技術分野】
【０００１】
本発明は、例えば、調理容器を誘導加熱する加熱コイルを備えた加熱調理器に係わり、特にその使用時の注意喚起を促す注意表記部の技術に関するものである。
【背景技術】
【０００２】
従来の加熱調理器においては、トッププレートの後部側の角部に使用時の注意喚起を促す注意表記部が表示されている（例えば、特許文献１参照）。
【先行技術文献】
【特許文献】
【０００３】
【特許文献１】特開２００４−２４７１８６号公報（図１）
【発明の概要】
【発明が解決しようとする課題】
【０００４】
前述した従来の加熱調理器では、鍋等の被加熱物を加熱口に載置した場合には、注意表記部が使用者から見えづらくなってしまっていた。また、注意表記部の内容も、長文の注意事項が複数段に亘って記載されているので、内容が分かりづらかった。
また、近年では、加熱調理器の機能アップなどにより表記が増える傾向にあり、そのため、限られたトッププレートの面積が減少し、加熱口と重なって見えなくなる虞がある。さらに、加熱調理器を使用するにつれトッププレートの表面が汚れたり、傷が付いたりした場合には、注意表記部の記載内容が見えづらくなるという課題があった。
【０００５】
本発明は、前述のような課題を解決するためになされたもので、第１の目的は、トッププレートの面積を減少させることなく、また、加熱調理器そのもののデザインを損ねることなく、調理の際における重要性の高い注意事項を使用者にとって見え易い位置に表示することができる加熱調理器を得るものである。
第２の目的は、第１の目的に加えて、冷却効率を上げることができる加熱調理器を得るものである。
【課題を解決するための手段】
【０００６】
本発明に係る加熱調理器は、上部にトッププレートが設けられた本体ケースと、トッププレートに設けられ、被加熱物の載置位置を示す加熱口と、本体ケース内に加熱口に対向して配置された加熱コイルと、トッププレートの後側の角部に配置された第１の注意表記部と、本体ケースの上部であって、トッププレートの後方に排気口を有して設置され、本体ケースの幅方向に延びて形成された後部パネルと、後部パネルの排気口を除く領域に設けられ、使用上の注意事項の中で重要性の高い注意事項が表示された第２の注意表記部とを備え、後部パネルの排気口を除く領域は、後部パネルの長手方向から見て略三角形状に形成され、トッププレート側の傾斜面に第２の注意表記部を設け、略三角形状に形成された後部パネルの後部水平面に本体ケース内に繋がる穴を設けたものである。
【発明の効果】
【０００７】
本発明によれば、後部パネルの排気口を除く領域に、使用上の注意事項の中で重要性の高い注意事項が表示された第２の注意表記部を設けたので、加熱口上に鍋が載置されても、容易に重要性の高い注意事項を見ることができる。また、第２の注意表記部を後部パネル側に設けているので、トッププレートの面積を減少させることなく、また、加熱調理器そのもののデザインを損ねることもない。
【図面の簡単な説明】
【０００８】
【図１】実施の形態１に係る加熱調理器の外観を示す斜視図である。
【図２】図１の矢視Ａ−Ａ方向から見て示す拡大断面図である。
【図３】実施の形態２に係る加熱調理器の外観を示す斜視図である。
【図４】図３の矢視Ｂ−Ｂ方向から見て示す拡大断面図である。
【図５】実施の形態２の変形例を示す拡大断面図である。
【図６】実施の形態２の別の変形例を示す拡大断面図である。
【図７】実施の形態３に係る加熱調理器の外観を示す斜視図である。
【図８】図７の矢視Ｃ−Ｃ方向から見て示す拡大断面図である。
【図９】実施の形態４に係る加熱調理器の外観を示す斜視図である。
【図１０】図９の矢視Ｄ−Ｄ方向から見て示す拡大断面図である。
【図１１】実施の形態５に係る加熱調理器の外観を示す斜視図である。
【図１２】図１１の矢視Ｅ−Ｅ方向から見て示す拡大断面図である。
【発明を実施するための形態】
【０００９】
実施の形態１．
図１は実施の形態１に係る加熱調理器の外観を示す斜視図、図２は図１の矢視Ａ−Ａ方向から見て示す拡大断面図である。
【００１０】
図１において、本実施の形態の加熱調理器１００は、例えばシステムキッチンに組み込まれる誘導加熱調理器である。その本体ケース１の上部に外枠２が取り付けられている。本体ケース１の手前側から見て、前側の外枠２には操作パネル３が取り付けられ、後側の外枠２には、排気口１２を有する長方形状の後部パネル４が取り付けられている。なお、本体ケース１の底面や背面に外気を冷却ファンで吸引するための吸気口（図示せず）が設けられている。
【００１１】
また、操作パネル３と後部パネル４との間の外枠２には、トッププレート５が装着されている。トッププレート５は、耐熱強化ガラスより構成され、その裏面には内部が見えないように印刷が施されている。また、トッププレート５には、被加熱物である鍋の載置位置を示す左加熱口６、右加熱口７および中央加熱口８が印刷等の方法で表示されている。また、トッププレート５の後側の例えば右側の角部（ａ部）には、前記と同様に印刷等の方法で、第１の注意表記部９が表示されている。なお、前述の各加熱口５、６、７及び第１の注意表記部９は、トッププレート５の裏面から表示されている。
【００１２】
本体ケース１内には、前述の左加熱口６、右加熱口７および中央加熱口８にそれぞれ対向して左加熱コイル、右加熱コイルおよび中央加熱コイルが配置されている。また、本体ケース１内には、グリル部１０も設けられており、本体ケース１の前面にグリル部１０の開口面を開閉するためのグリル扉１０ａが前後に移動可能に取り付けられている。グリル扉１０ａの横には、各加熱コイルの火力を調整するための前面操作部１１が配置されている。前述した操作パネル３には、例えば各加熱コイルやグリル部１０の火力を設定するための操作キーが配置されている。
【００１３】
後部パネル４の排気口１２を除く領域１３には、図２に示すように、上面に第２の注意表記部１４が表示されている。この第２の注意表記部１４には、使用上の注意事項の中で重要性の高い注意事項が表示されている。重要性の高い注意事項として、例えば、「排気口１２を塞がない」、「トッププレート上に水をかけない」、「揚げ物調理するときは本体のそばを離れない」等の注意事項が印刷あるいは刻印などの方法で記載されている。また、第１の注意表記部９には、第２の注意表記部１４に記載された注意事項の他の使用上で必要な注意事項が印刷などの方法で記載されている。
【００１４】
以上のように、後部パネル４の排気口１２を除く領域１３に第２の注意表記部１４を表示しているので、右加熱口７に鍋が載置されても、容易に重要性の高い注意事項を見ることができる。また、第２の注意表記部１４を後部パネル４側に設けているので、トッププレートの面積を減少させることなく、また、加熱調理器そのもののデザインを損ねることもない。
【００１５】
実施の形態２．
図３は実施の形態２に係る加熱調理器の外観を示す斜視図、図４は図３の矢視Ｂ−Ｂ方向から見て示す拡大断面図である。なお、本実施の形態においては、実施の形態１の加熱調理器と同様の部分には同じ符号を付し、後部パネルの排気口を除く領域についてのみ説明する。
【００１６】
本実施の形態における後部パネル４の排気口１２を除く領域１３ａは、図４に示すように、その後部パネル４の長手方向から見て略三角形状に形成され、トッププレート５側の傾斜面に第２の注意表記部１４が設けられている。この第２の注意表記部１４には、実施の形態１と同様に、使用上の注意事項の中で重要性の高い注意事項が印刷あるいは刻印などの方法で記載されている。
【００１７】
このように、後部パネル４の排気口１２を除く領域１３ａを、後部パネル４の長手方向から見て略三角形状に形成し、トッププレート５側の傾斜面に第２の注意表記部１４を設けている。このように構成することにより、右加熱口７に鍋が載置されていたとしても、より容易に重要性の高い注意事項を見ることができ、清掃も容易である。また、その領域１３ａが略三角形状に形成されているため、鍋等が載置されることが殆どなく、第２の注意表記部１４に傷が付くということがない。
【００１８】
なお、実施の形態では、後部パネル４の排気口１２を除く領域１３ａを、後部パネル４の長手方向から見て略三角形状に形成したことを述べたが、これに限定されるものではなく、例えば図５及び図６に示すように、略三角形状の領域１３ａに穴を設けても良い。
【００１９】
図５は実施の形態２の変形例を示す拡大断面図である。図中に示すように、略三角形状の領域１３ａのトッププレート５側の傾斜面の後側に形成された傾斜面に本体ケース１内に繋がる複数の穴１５を設けたものである。この穴１５は、例えば、略三角形状の領域１３ａの長手方向に延びるスリット状に形成されている。その穴１５は、傾斜面に水が流れたときに、表面張力によって塞がる程度の大きさである。
【００２０】
このように、略三角形状の領域１３ａのトッププレート５側の傾斜面の後側に形成された傾斜面に本体ケース１内に繋がる複数の穴１５を設けているので、吸気面積が拡がり、本体ケース１内の冷却効率がより向上する。
【００２１】
また、図６は実施の形態２の別の変形例を示す拡大断面図である。図中に示す別の変形例においては、複数のスロット状の穴１５に加えて、略三角形状に形成された領域１３ａの後部水平面に本体ケース１内に繋がる穴１５ａを設けたものである。この場合、実施の形態２と比べ（図４参照）、略三角形状の領域１３ａを含む後部パネル４の幅をトッププレート５側に拡大している。
【００２２】
このように、複数のスロット状の穴１５に加えて、略三角形状に形成された領域１３ａの後部水平面に本体ケース１内に繋がる穴１５ａを設けているので、前述の変形例よりも、さらに吸気面積が拡がり、本体ケース１内の冷却効率がより向上する。
【００２３】
実施の形態３．
図７は実施の形態３に係る加熱調理器の外観を示す斜視図、図８は図７の矢視Ｃ−Ｃ方向から見て示す拡大断面図である。なお、本実施の形態においては、実施の形態１の加熱調理器と同様の部分には同じ符号を付し、後部パネルの排気口を除く領域についてのみ説明する。
【００２４】
本実施の形態における領域１３ｂは、図８に示すように、その後部パネル４の長手方向から見て凹状に形成され、その凹形状の凹み面に第２の注意表記部１４が設けられている。この第２の注意表記部１４には、実施の形態１と同様に、使用上の注意事項の中で重要性の高い注意事項が印刷あるいは刻印などの方法で記載されている。
【００２５】
このように、後部パネル４の排気口１２を除く領域１３ｂを、後部パネル４の長手方向から見て凹状に形成し、その凹形状の凹み面に第２の注意表記部１４を設けているので、右加熱口７に鍋が載置されていたとしても、より容易に重要性の高い注意事項を見ることができる。また、凹み面に第２の注意表記部１４を設けることにより、鍋等が載置された場合でも、第２の注意表記部１４に傷が付くということがない。さらに、前述の注意事項を印刷で記載していても、鍋が接触することがないので、第２の注意表記部１４が擦れて剥がれるということがない。
【００２６】
実施の形態４．
図９は実施の形態４に係る加熱調理器の外観を示す斜視図、図１０は図９の矢視Ｄ−Ｄ方向から見て示す拡大断面図である。なお、本実施の形態においては、実施の形態１の加熱調理器と同様の部分には同じ符号を付し、後部パネルの排気口を除く領域についてのみ説明する。
【００２７】
本実施の形態における領域１３ｃは、図１０に示すように、その後部パネル４の長手方向から見て凸状に形成され、その凸形状の上面に第２の注意表記部１４が設けられている。この第２の注意表記部１４には、実施の形態１と同様に、使用上の注意事項の中で重要性の高い注意事項が印刷あるいは刻印などの方法で記載されている。
【００２８】
このように、後部パネル４の排気口１２を除く領域１３ｃを、後部パネル４の長手方向から見て凸状に形成し、その凸形状の上面に第２の注意表記部１４を設けている。このように構成することにより、右加熱口７に鍋が載置されていたとしても、より容易に重要性の高い注意事項を見ることができる。また、凸形状の上面に第２の注意表記部１４を設けることにより、鍋等が接触したとしても、第２の注意表記部１４に傷が付くということがない。さらに、前述の注意事項を印刷で記載していても、鍋が接触することがないので、第２の注意表記部１４が擦れて剥がれるということがない。
【００２９】
実施の形態５．
図１１は実施の形態５に係る加熱調理器の外観を示す斜視図、図１２は図１１の矢視Ｅ−Ｅ方向から見て示す拡大断面図である。なお、本実施の形態においては、実施の形態１の加熱調理器と同様の部分には同じ符号を付し、後部パネルの排気口を除く領域についてのみ説明する。
【００３０】
本実施の形態における領域１３ｄは、図１２に示すように、その後部パネル４の長手方向から見てトッププレート５から後側に上方へ傾斜して水平に折り曲げられて形成されている。また、この形状により、その領域１３ｄの後部には、本体ケース１内に繋がる開口部１５ｂが設けられた状態となっている。そして、領域１３ｄのトッププレート５側の傾斜面には第２の注意表記部１４が設けられている。この第２の注意表記部１４には、実施の形態１と同様に、使用上の注意事項の中で重要性の高い注意事項が印刷あるいは刻印などの方法で記載されている。
【００３１】
このように、後部パネル４の排気口１２を除く領域１３ｄを、後部パネル４の長手方向から見てトッププレート５から後側に上方へ傾斜して水平に折り曲げて形成し、その傾斜面に第２の注意表記部１４を設けている。このように構成することにより、右加熱口７に鍋が載置されていたとしても、より容易に重要性の高い注意事項を見ることができ、清掃も容易となる。また、第２の注意表記部１４を後部パネル４側に設けているので、トッププレートの面積を減少させることなく、また、加熱調理器そのもののデザインを損ねることもない。さらに、領域１３ｄの後部に本体ケース１内に繋がる開口部１５ｂを設けているので、吸気面積が拡がり、本体ケース１内の冷却効率がより向上する。
【００３２】
なお、実施の形態１〜実施の形態５では、トッププレート５の後側の右側の角部（ａ部）に第１の注意表記部９が表示し、後部パネル４の排気口１２を除く領域１３〜１３ｄに第２の注意表記部１４を設けたことを述べたが、これに限定されるものではない。例えば、本体ケース１を前方から見て、トッププレート５の側方の両側の枠体２を広げ、その両側の枠体２に、それぞれ第１及び第２の注意表記部９、１４を表示するようにしても良い。
【符号の説明】
【００３３】
１  本体ケース、２  外枠、３  操作パネル、４  後部パネル、５  トッププレート、６  左加熱口、７  右加熱口、８  中央加熱口、９  第１の注意表記部、１０  グリル部、１０ａ  グリル扉、１１  前面操作部、１２  排気口、１３、１３ａ、１３ｂ、１３ｃ、１３ｄ  領域、１４  第２の注意表記部、１５、１５ａ  穴、１５ｂ  開口部、１００  加熱調理器。
【図１】
0005800730.tif 000002
【図２】
0005800730.tif 000003
【図３】
0005800730.tif 000004
【図４】
0005800730.tif 000005
【図５】
0005800730.tif 000006
【図６】
0005800730.tif 000007
【図７】
0005800730.tif 000008
【図８】
0005800730.tif 000009
【図９】
0005800730.tif 000010
【図１０】
0005800730.tif 000011
【図１１】
0005800730.tif 000012
【図１２】
0005800730.tif 000013